(57)【要約】 【課題】  表皮の有無に拘わらず、オーナメント部材を見栄えよく取り付け可能なドアトリムを提供することを目的とする。【解決手段】  トリムボード３の取付孔３１の周囲には、複数の係合片３２が車室外側へ延びている。係合片３２は切り欠かれており、第１固定部３３および第２固定部３４が並ぶように形成されている。取付孔３１を塞ぐようにトリムボード３に取り付けられるオーナメント部材４の周縁部には、係合片３２が挿入可能な複数の係合孔４３が形成されている。係合片３２を係合孔４３に挿入して、係合孔４３を第１固定部３３に嵌合させた後、更に係合片３２を押し込むことで、係合孔４３を第２固定部３４に嵌合させることができ、係合片３２は係合孔４３に対して２段係合することができるため、表皮４１の有無に拘わらず、オーナメント部材４をトリムボード３に見栄えよく固定できる。【選択図】  図２
2007038721.tif 000002
【特許請求の範囲】
【請求項１】
トリムボードとオーナメント部材のうちの一方に係合部が設けられるとともに、他方に係合受部が形成され、前記係合部と前記係合受部とを互いに係合させることにより、前記オーナメント部材が前記トリムボードに取り付けられるドアトリムにおいて、
前記係合部は、前記オーナメント部材が前記トリムボードに対して所定位置で取り付けられるように、前記係合受部と嵌合することのできる第１固定部と、前記オーナメント部材が前記トリムボードに対して更に深い位置で取り付けられるように、前記係合受部と嵌合する第２固定部とを備えることにより、前記係合部は前記係合受部に対して２段係合することを特徴とするドアトリム。
【請求項２】
前記係合部は、前記第１固定部および前記第２固定部がその長さ方向に並べられた係合片とするとともに、前記係合受部は前記係合片が挿入可能な係合孔とし、前記係合片を前記係合孔に挿入して、前記係合孔を前記第１固定部に嵌合させた後、前記係合片を前記係合孔に更に押し込んで、前記係合片を撓ませながら前記係合孔を乗り越えさせ、前記係合孔を前記第２固定部に嵌合させることを特徴とする請求項１記載のドアトリム。
【発明の詳細な説明】
【技術分野】
【０００１】
本発明は、トリムボードにオーナメント部材が取り付けられて形成されるドアトリムに関する。
【背景技術】
【０００２】
オーナメントの一側に突起を出し、これを車両のドアトリムの取付穴にはめ込んで固定したものがあった（例えば、特許文献１参照）。この従来技術によれば、オーナメントをドアトリムに対して押圧するのみで容易に取り付けることができ、車両ドアの組付け性の点において、有用性の高いものであった。
ところで、オーナメントはドアトリムの車室内側の意匠面において、その美観性を高めるためのものであって、周囲のドアトリムの表面とのつながり具合等は、非常に重要なことであった。従って、オーナメントをドアトリムに固定した状態において、通常、双方の合わせ面は、隙間なく重なるように形成されている。
【特許文献１】実開昭６４−５５１４９号公報（第１図）
【発明の開示】
【発明が解決しようとする課題】
【０００３】
しかしながら、ドアトリムおよびオーナメントには、大別して樹脂材料製の基材のみで形成されたものと、基材の表面に異材による表皮を貼着したものとがあり、上述した従来技術によるドアトリムにおいて、オーナメントの突起形状を、表皮をともなうドアトリムに合わせて設定すれば、同じものを表皮を有しないドアトリムに取り付けた場合、オーナメントとドアトリムとの間に表皮の厚み分の隙間が生じてしまう。また、表皮を有しないドアトリムに合わせて突起形状を設定すれば、表皮を備えたドアトリムに取り付けようとした場合、表皮の厚み分だけ突起長さが不足してしまう。本発明は上記のような事情に基づいて完成されたものであって、表皮の有無に拘わらず、オーナメント部材を見栄えよく取り付け可能なドアトリムを提供することを目的とする。
【課題を解決するための手段】
【０００４】
上記の目的を達成するための手段として、請求項１の発明は、トリムボードとオーナメント部材のうちの一方に係合部が設けられるとともに、他方に係合受部が形成され、前記係合部と前記係合受部とを互いに係合させることにより、前記オーナメント部材が前記トリムボードに取り付けられるドアトリムにおいて、前記係合部は、前記オーナメント部材が前記トリムボードに対して所定位置で取り付けられるように、前記係合受部と嵌合することのできる第１固定部と、前記オーナメント部材が前記トリムボードに対して更に深い位置で取り付けられるように、前記係合受部と嵌合する第２固定部とを備えることにより、前記係合部は前記係合受部に対して２段係合することを特徴とするドアトリムとした。
【０００５】
請求項２の発明は、前記係合部は、前記第１固定部および前記第２固定部がその長さ方向に並べられた係合片とするとともに、前記係合受部は前記係合片が挿入可能な係合孔とし、前記係合片を前記係合孔に挿入して、前記係合孔を前記第１固定部に嵌合させた後、前記係合片を前記係合孔に更に押し込んで、前記係合片を撓ませながら前記係合孔を乗り越えさせ、前記係合孔を前記第２固定部に嵌合させることを特徴とする請求項１記載のドアトリムとした。
【発明の効果】
【０００６】
＜請求項１の発明＞
係合部は、オーナメント部材がトリムボードに対して所定位置で取り付けられるように、係合受部と嵌合することのできる第１固定部と、オーナメント部材がトリムボードに対して更に深い位置で取り付けられるように、係合受部と嵌合する第２固定部とを備えることにより、係合部は係合受部に対して２段係合するため、トリムボードあるいはオーナメント部材が、表皮付のものであっても、表皮のないものであっても、オーナメント部材を見栄えよく取り付け可能なドアトリムにすることができる。
【０００７】
＜請求項２の発明＞
係合部は、第１固定部および第２固定部がその長さ方向に並べられた係合片とするとともに、係合受部は係合片が挿入可能な係合孔とし、係合片を係合孔に挿入して、係合孔を第１固定部に嵌合させた後、係合片を係合孔に更に押し込んで、係合片を撓ませながら係合孔を乗り越えさせ、係合孔を第２固定部に嵌合させることにより、係合片を係合孔に挿入するだけで、係合孔を第１固定部に嵌合させることができるとともに、係合片を撓ませながら係合孔に押し込むだけで、第２固定部に嵌合させることができ、溶着等を必要とせずに、オーナメント部材のトリムボードへの取り付けを容易に行うことができる。
【発明を実施するための最良の形態】
【０００８】
＜実施形態１＞
本発明の実施形態を図１乃至図３によって説明する。車両のドア本体１のインナパネルに取り付けられるドアトリム２は、ポリプロピレン等の合成樹脂材料にて一体に形成されたトリムボード３に、装飾用のオーナメント部材４が取り付けられて形成されている。トリムボード３には、オーナメント部材４によって閉塞される取付孔３１が形成されており、その周囲には、裏面（車室外側）上において、複数の平板状の係合片３２（本発明の係合部に該当する）が立設されている。係合片３２はトリムボード３の車室外側に向けて延びており、図２において上下方向に撓み可能に形成されている。
【０００９】
また、係合片３２の片面は切り欠かれ、その端部より、第１固定部３３および第２固定部３４が係合片３２の長さ方向に並ぶように形成され、第１固定部３３は、オーナメント部材４がトリムボード３に対して所定位置で取り付けられるように、後述する係合孔４３と嵌合し、第２固定部３４は、オーナメント部材４がトリムボード３に対して更に深い位置で取り付けられるように、係合孔４３と嵌合することにより、係合片３２はオーナメント部材４の係合孔４３に対して２段係合可能とされている。図２に示すように、第１固定部３３、第２固定部３４は、斜面にて形成されており、また、係合片３２の端部、および第１固定部３３と第２固定部３４との間にも、それぞれ斜面３５、３６が形成されているため、係合片３２の片面は鋸歯状を呈している。
【００１０】
一方、オーナメント部材４はポリプロピレン等の合成樹脂材料により一体に形成され、略矩形状を呈している。オーナメント部材４の内部は、トリムボード３の取付孔３１を塞ぐように膨出しており、膨出部位にはファブリックによって形成された表皮４１が、接着剤等により貼着されている。オーナメント部材４の周縁部には、トリムボード３の係合片３２と対応する位置に、略矩形状をした複数の突出部４２が形成されている。オーナメント部材４のトリムボード３への取付状態において、突出部４２は車室外側へと突出しており、その各々の頂部には、トリムボード３の係合片３２を挿入可能な矩形状の係合孔４３（本発明の係合受部に該当する）が形成されている。
【００１１】
次に、オーナメント部材４のトリムボード３への取付方法について説明する。トリムボード３の各係合片３２を、オーナメント部材４の係合孔４３に挿入した後、オーナメント部材４をトリムボード３の裏面に向けて押圧していく。これにより、係合片３２の端部にある斜面３５が、オーナメント部材４の係合孔４３に乗り上げて、係合片３２を外方（取付孔３１の反対方向）に撓ませる。係合片３２の撓みとともに、係合孔４３の斜面３５と当接した部位も内方（取付孔３１方向）へ撓むため、係合片３２の斜面３５が係合孔４３を乗り越え、係合孔４３に第１固定部３３を嵌合させる（図３示）。この状態において、トリムボード３の取付孔３１の内周端は、オーナメント部材４の表皮４１の表面と隙間無く当接し、オーナメント部材４は、トリムボード３に対する所定位置において、見栄えよく固定される。
【００１２】
本実施形態によれば、係合片３２は、オーナメント部材４がトリムボード３に対して所定位置で係合するように、係合孔４３と嵌合することのできる第１固定部３３と、オーナメント部材４がトリムボード３に対して更に深い位置で係合するように、係合孔４３と嵌合する第２固定部３４とを備えることにより、係合片３２は係合孔４３に対して２段係合するため、トリムボード３あるいはオーナメント部材４が、表皮４１付のものであっても、表皮４１のないものであっても、オーナメント部材４を見栄えよく取り付け可能なドアトリム２にすることができる。
【００１３】
係合片３２は、第１固定部３３および第２固定部３４がその長さ方向に並べられているとともに、係合孔４３は係合片３２が挿入可能とされ、係合片３２を係合孔４３に挿入して、係合孔４３を第１固定部３３に嵌合させた後、係合片３２を係合孔４３に更に押し込んで、係合片３２を撓ませながら係合孔４３を乗り越えさせ、係合孔４３を第２固定部３４に嵌合させることにより、係合片３２を係合孔４３に挿入するだけで、係合孔４３を第１固定部３３に嵌合させることができるとともに、係合片３２を撓ませながら係合孔４３に押し込むだけで、第２固定部３４に嵌合させることができ、溶着等を必要とせずに、オーナメント部材４のトリムボード３への取り付けを容易に行うことができる。
【００１４】
＜実施形態２＞
本発明の実施形態２について、図４および図５に基づいて説明する。本実施形態においては、実施形態１のものに比べて、オーナメント部材４Ａが表皮４１を有しておらず、合成樹脂材料にて形成された基材単体である点のみが異なる（図４示）。本実施形態によるオーナメント４Ａをトリムボード３に取り付ける場合、最初に、トリムボード３の各係合片３２を、オーナメント部材４Ａの係合孔４３に挿入した後、オーナメント部材４Ａをトリムボード３の裏面に向けて押圧していくことにより、実施形態１のものと同様に、オーナメント部材４Ａの係合孔４３が、係合片３２の第１固定部３３に嵌合する。
【００１５】
次に、係合片３２を係合孔４３に更に押し込むと、第１固定部３３と第２固定部３４との間にある斜面３６が係合孔４３に乗り上げて、係合片３２を外方（取付孔３１の反対方向）に撓ませる。係合片３２の撓みとともに、係合孔４３の斜面３６と当接した部位も内方（取付孔３１方向）へ撓むため、係合片３２の斜面３６が係合孔４３を乗り越え、係合孔４３に第２固定部３４を嵌合させる（図５示）。この状態において、トリムボード３の取付孔３１の内周端は、オーナメント部材４Ａの表面と隙間無く当接するとともに、オーナメント部材４Ａの外周縁はトリムボード３の車室外側面に当接し、オーナメント部材４Ａは、実施形態１によるオーナメント部材４よりも深い位置において、見栄えよくトリムボード３に固定される。
【００１６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）係合片をオーナメント部材の車室外側に延びるように形成し、係合孔をトリムボードの取付孔の周囲に形成し、係合片を係合孔に挿入して、オーナメント部材をトリムボードの車室内側へ取り付けてもよい。
（２）オーナメント部材に加えて、トリムボードも表皮付のものであってもよい。
（３）オーナメント部材およびトリムボードの表皮の有無に加え、表皮の種々の厚さに対応できるように、複数段の固定部を設けて、トリムボードとオーナメント部材とを複数段係合可能としてもよい。
【図面の簡単な説明】
【００１７】
【図１】本実施形態によるドアトリムの、ドア本体への取付状態を示す分解斜視図である。
【図２】実施形態１によるオーナメント部材と、トリムボードの要部を示す断面図である。
【図３】図２に示したオーナメント部材を、トリムボードに取り付けたところを示す断面図である。
【図４】実施形態２によるオーナメント部材と、トリムボードの要部を示す断面図である。
【図５】図４に示したオーナメント部材を、トリムボードに取り付けたところを示す断面図である。
【符号の説明】
【００１８】
２…ドアトリム
３…トリムボード
４、４Ａ…オーナメント部材
３２…係合片
３３…第１固定部
３４…第２固定部
４１…表皮
４３…係合孔
【図１】
2007038721.tif 000003
【図２】
2007038721.tif 000004
【図３】
2007038721.tif 000005
【図４】
2007038721.tif 000006
【図５】
2007038721.tif 000007